(57)【特許請求の範囲】
【請求項１】
被支持部材の表面側および裏面側の異なる部分を支持する支持部を備えた支持部材であって、当該支持部によって支持される被支持部材の部分と表裏をなす方向に型抜きしてその部分に空間部を設けたことを特徴とする支持部材。
【請求項２】
表面側もしくは裏面側のいずれかにフック部を有する被支持部材の表面および裏面の異なる部分を支持する支持部を備えた支持部材であって、当該支持部によって支持される被支持部材の部分と表裏をなす方向に型抜きしてその部分に空間部を設けたことを特徴とする支持部材。
【請求項３】
被支持部材の表面側および裏面側の異なる部分を支持する支持部を備えた支持部材の成形方法であって、当該支持部によって支持される被支持部材の部分と表裏をなす方向に型抜きすることによって前記支持部を成形することを特徴とする支持部材の成形方法。
【発明の詳細な説明】
【０００１】
【発明の属する技術分野】
本発明は、他の部材を係わり合わせるための支持部材の構造などに関するものである。
【０００２】
【従来の技術】
例えば、プラスチックなどによって一体成形された二つの部材を連結する場合、一方の部材にフック部を有する凸片を設けるとともに、他方の部材に長方形状に開口する凹部を設け、この開口部分に凸片を差し込んで、その奥方に設けられた凹部の段差部分にフック部を係わり合わせるようにしている。
【０００３】
【発明が解決しようとする課題】
ところが、このように開口部分を有する凹部を成形する場合、部材全体の型抜き方向と、開口部分を設けるための型抜き方向とが異なる。かかる場合、部材全体を型抜きした後、開口部分を設けるために別方向に型抜きするなどの作業を行なわなければならず、製造工程が複雑になるという問題を有していた。
【０００４】
そこで、本発明は上記問題に鑑みてなされたものであり、より簡単に成形することのできる支持部材やその支持部材の成形方法を提供することを目的とするものである。
【０００５】
【課題を解決するための手段】
本発明は、上記課題に鑑みてなされたものであり、被支持部材の表面側および裏面側の異なる部分を支持するようにしたものにおいて、この支持される被支持部材の部分と表裏をなす方向に型抜きしてその部分に空間部を設けるようにしたものである。すなわち、支持部を互いにオーバーラップしないように段違いに設け、その支持部の一方に開放空間を設けるようにさせたものである。
【０００６】
このように構成することによって、互いに逆方向に型抜きするだけで支持部を成形することができ、従来のように二方向による型抜きを行なうことなく簡単に支持部を成形することができるようになる。
【０００７】
また、表面側もしくは裏面側のいずれかにフック部を有する被支持部材を支持するようなものにおいて、このような段違いの支持部を設ける。これによって、段違いの支持部の長さを変えて、フック部の引っ掛かりの強さを自在に変えられるようにする。
【０００８】
【発明の実施の形態】
以下、本発明の一実施形態を図面を参照して説明する。図１は、本発明の支持部材の平面図（ａ）、側面図（ｂ）およびＩ−Ｉ断面図（ｃ）を示したものであり、図２は、その支持部材に係わり合わされる被支持部材の平面図（ａ）、側面図（ｂ）（ｃ）を示したものである。
【０００９】
この支持部材１は、例えば、オフィスの床面に敷設されるパネル片などに適用されるものであり、この支持部材１と被支持部材２とを係わり合わせてフロアパネルを組み立てられるようにしたものである。なお、これ以外にも一般的に二つの部材を係わり合わせて使用するようなものにも適用することができる。
【００１０】
この支持部材１は、合成樹脂を上下方向に型抜きすることによって成形されるものであり、図２に示す被支持部材２の凸片２０を係わり合わせることができるようにしたものである。この支持部材１は、被支持部材２の凸片２０の裏面である下面２１側に接触し得る下面支持部１０と、この凸片２０の表面である上面２２側に接触し得る上面支持部１１とを設けて凸片２０を支持するようにしており、更に、これら下面支持部１０と上面支持部１１とで囲まれる内部に空間部Ｓ１、Ｓ２を設けて、下面支持部１０の奥方段差部分１０ｂで凸片２０のフック部２３を係わり合わせるようにしている。
【００１１】
上面支持部１１は、この支持部材１の上面から連続して下向き略Ｌ字状に成形したものであり、製造時にこの上面支持部２２の下方に型抜きしてその部分に空間部Ｓ１を設けたものである。すなわち、この上面支持部１１を成形するための型として、上面支持部１１と同じ左右幅を有し、かつ、上面支持部１１の先端形状に対応した略Ｌ字状の段差を有する型を設け、この型を下方に抜くことによって上面支持部１１とその下方の空間部Ｓ１を成形するようにしている。これによって上面支持部１１の下面１１ａに被支持部材２の上面２２を接触させるようにしている。なお、この上面支持部１１の形状としては、下向き略Ｌ字状の形状をしたものに限られず、平板状の上面支持部や、リブを有する形状の上面支持部などにしても良い。
【００１２】
一方、この上面支持部１１の両側に設けられた下面支持部１０は、この上面支持部１１とオーバーラップしないような位置に支持部材１の側面３から延出して設けたものであり、製造時にこの下面支持部１０の上方に型抜きしてその部分に空間部Ｓ２を設けたものである。すなわち、この下面支持部１０を成形するための型として、下面支持部１０と同じ左右幅を有し、かつ、下面支持部１０に対応した形状を有する型を設け、この型を上方に抜くことによって下面支持部１０とその上方に空間部Ｓ２を成形するようにしたものである。これによって下面支持部１０の上面１０ａに被支持部材２における凸片２０の下面２１を接触させるようにしている。なお、この下面支持部１０の奥方は支持部材１の底面４に向けて貫通させており、これによって成形材料を少なくするようにしている。
【００１３】
これらの上面支持部１１と下面支持部１０の隙間Ｗ１は、被支持部材２における凸片２０の基部の上下厚み幅Ｗ２よりも若干大きく設定されており、これによって凸片２０に設けられたフック部２３をこの隙間部分Ｗ１に弾性変形させながら挿入させられるようにしている。そして、そのフック部２３の段差部分２３ａを下面支持部１０の奥方段差部分１０ｂに係わり合わせるとともに、上面支持部１１によって凸片２０の上方への変位を規制してフック部２３の抜けを防止するようにしている。
【００１４】
一方、この支持部材１に係わり合わされる凸片２０は、被支持部材２の一部を構成するものであり、合成樹脂などによって成形されるものである。なお、この被支持部材２は、合成樹脂などを成形したものに限られず、金属などを切削加工することによって構成してもよい。この凸片２０の横幅寸法Ｗ４は、上面支持部１１と下面支持部１０の左右隙間幅Ｗ３と同一もしくは若干小さく設定されており、また、凸片２０の基部における上下厚み寸法Ｗ２についても、上面支持部１１と下面支持部１０との隙間幅Ｗ１よりも若干小さくしている。具体的には、フック部２３の上下厚み寸法Ｗ５を上面支持部１１と下面支持部１０との隙間幅Ｗ１より大きく設定し、また、このフック部２３を奥方段差部分１０ｂに係わり合わせた際、凸片２０の上下方向への変位を規制することによってフック部２３が外れないようにしている。
【００１５】
そして、このように構成された被支持部材２の凸片２０を上面支持部１１および下面支持部１０の隙間に挿入させ（図３）、そのフック部２３を下面支持部１０の奥方段差部分１０ｂに係わり合わせるとともに、下面支持部１０と上面支持部１１とによって所定の隙間を持たせて凸片２０を支持させるようにする。
【００１６】
このように、被支持部材２の上面２２側および下面２１側の異なる部分を支持するものにおいて、この支持される部分と表裏をなす方向に空間部Ｓ１、Ｓ２を設けるようにしたので、互いに逆方向に型抜きするだけで容易に上面支持部１１や下面支持部１０を成形することができる。また、下面２１に段差部分２３ａを有するフック部２３を係わり合わせる場合、下面支持部１０を長く設ければ、その引っ掛かりを強くすることができ、また逆に、下面支持部１０を短く設ければ、その引っ掛かりを弱くすることができる。
【００１７】
なお、本発明は上記実施の形態に限定されることなく、種々変更することができる。すなわち、上記実施の形態では、上面支持部１１と下面支持部１０とをそれぞれ段違いに３箇所設けるようにしたが、これらの数については適宜増やすことができる。また、左右対称の被支持部材２を支持する場合は、部材支持の安定性の観点から、これらの上面支持部と下面支持部との成形位置を左右対称に設けるようにするのが好ましい。
【００１８】
また、上記実施の形態では、下面支持部１０を側面３から延出して設けるようにしたが、これに限らず被支持部材２の底面４から上向き略Ｌ字状に延出するように成形するようにしても良い。
【００１９】
また、上記実施の形態では、平面視において上面支持部１１と下面支持部１０との間に隙間を設けないように構成したが、これに限らず、被支持部材２の上面２２および下面２１のいずれも支持しないような空間部分を設けて上面支持部１１と下面支持部１０を配置するようにしても良い。
【００２０】
【発明の効果】
本発明は、以上説明したような形態で実施され、以下に記載されるような効果を奏する。
【００２１】
すなわち、本発明の支持部材は、被支持部材の表面側および裏面側の異なる部分を支持するようにしたものにおいて、この支持される被支持部材の部分と表裏をなす方向に空間部を設けるようにしたので、互いに逆方向に型抜きするだけで被支持部材の表面側および裏面側を支持する支持部を成形することができ、二方向による型抜きを行なうことなく簡単に支持部を成形することができるようになる。
【００２２】
また、表面側もしくは裏面側のいずれかにフック部を有する被支持部材を支持するようなものにおいて、このような段違いの支持部を設けるようにしたので、その支持部の長さを変えてフック部の引っ掛かりの強さを変えられるようにすることができる。
【図面の簡単な説明】
【図１】本発明の一実施の形態を示す支持部材を示す図。
【図２】支持部材に支持される被支持部材を示す図。
【図３】支持部材に被支持部材を係わり合わせた状態図。
【符号の説明】
１・・・支持部材
２・・・被支持部材
１０・・・支持部（下面支持部）
１１・・・支持部（上面支持部）
２１・・・裏面（下面）
２２・・・表面（上面）
Ｓ１、Ｓ２・・・空間部
【図１】
0004587589.tif 000002
【図２】
0004587589.tif 000003
【図３】
0004587589.tif 000004